(57)【要約】【課題】自分の状態を周囲から取得される可能性のあるセンサがあることを認識可能な情報処理装置を提供する。【解決手段】ユーザの周囲にあるセンサの存在を認識させる通知情報に基づいて、ユーザの状態を取得する可能性のあるセンサに関する情報を取得する取得部を備える、情報処理装置が提供される。【選択図】図１
2016199463.tif 000002
【特許請求の範囲】
【請求項１】
ユーザの周囲にあるセンサの存在を認識させる通知情報に基づいて、前記ユーザの状態を取得する可能性のあるセンサに関する情報を取得する取得部を備える、情報処理装置。
【請求項２】
前記取得部は、前記ユーザが使用する観測者端末に設けられる、請求項１に記載の情報処理装置。
【請求項３】
前記通知情報は、ターゲット端末に表示された、当該ターゲット端末が備える１または複数のセンサの動作設定情報を取得させる情報であり、
前記取得部は、前記通知情報を前記ターゲット端末から直接取得して、前記ターゲット端末が備えるセンサの動作設定情報を取得する、請求項２に記載の情報処理装置。
【請求項４】
前記通知情報は、ターゲット端末に表示された、当該ターゲット端末を識別する識別情報であり、
前記取得部は、前記通知情報を前記ターゲット端末から直接取得し、取得した通知情報に基づいて、ターゲット端末が備える１または複数のセンサの動作設定情報を管理するサーバから前記ターゲット端末が備えるセンサの動作設定情報を取得する、請求項２に記載の情報処理装置。
【請求項５】
前記識別情報は、バーコードである、請求項４に記載の情報処理装置。
【請求項６】
ユーザの周囲にあるターゲット端末が備える１または複数のセンサの存在及びユーザの状態を取得する可能性を通知するポテンシャル情報であり、
前記ポテンシャル情報を受けたユーザの要求に応じて、前記取得部は、前記通知情報を前記ターゲット端末から直接取得して、前記ターゲット端末が備えるセンサの動作設定情報を取得する、請求項２に記載の情報処理装置。
【請求項７】
前記ユーザの状態を取得する可能性のあるセンサに関する情報は、少なくともセンサのオンオフ状態を含むセンサの動作設定情報である、請求項１に記載の情報処理装置。
【請求項８】
前記通知情報は、当該通知情報を受けた端末にてデコードされる情報である、請求項１に記載の情報処理装置。
【請求項９】
前記ユーザの状態を取得する可能性のあるセンサに関する情報は、文字列表示、音声通知、擬人化表示、アイコン表示、またはアニメーション表示のうち少なくともいずれか１つを用いてユーザに通知される、請求項１に記載の情報処理装置。
【請求項１０】
ユーザの周囲にあるターゲット端末が備える１または複数のセンサの存在及びユーザの状態を取得する可能性を通知するポテンシャル情報を、前記ユーザに対して通知する通知部を備える、情報処理装置。
【請求項１１】
前記ポテンシャル情報を受けて、前記ユーザの状態を取得する可能性のあるセンサに関する情報を取得する取得部を備える、請求項１０に記載の情報処理装置。
【請求項１２】
プロセッサにより、ユーザの周囲にあるセンサの存在を認識させる通知情報に基づいて、前記ユーザの状態を取得する可能性のあるセンサに関する情報を取得する、情報処理方法。
【請求項１３】
コンピュータを、ユーザの周囲にあるセンサの存在を認識させる通知情報に基づいて、前記ユーザの状態を取得する可能性のあるセンサに関する情報を取得する取得部を備える、情報処理装置として機能させるプログラム。
【発明の詳細な説明】
【技術分野】
【０００１】
本開示は、情報処理装置、情報処理方法及びプログラムに関する。
【背景技術】
【０００２】
ウェアラブル端末等の情報処理端末に各種センサが搭載され、常時センシングが可能となっている昨今、気付かないうちに勝手に自分の写真やログ等を記録されていないかと不安を感じる人は多い。このため、例えば特許文献１のように、撮像装置の撮影画像に対し、撮影すべきでない視野を保護するための処理を高速で行うことで、リアルタイムで被写体のプライバシーを保護する技術が提案されている。一般には、情報処理端末には、当該端末に備えられたカメラやマイク等の機能状態を外部から視認できるように、これらの機能状態を通知する通知部が設けられている。
【先行技術文献】
【特許文献】
【０００３】
【特許文献１】特開平１０−１３６３４４号公報
【発明の概要】
【発明が解決しようとする課題】
【０００４】
しかし、従来の情報処理端末に設けられている通知部はランプ等の簡易なものであり、外部からは情報処理端末が備えるセンサの機能状態を詳細に認識することはできない。【０００５】
そこで、本開示では、自分の状態を周囲から取得される可能性のあるセンサがあることを認識することの可能な、新規かつ改良された情報処理装置、情報処理方法及びプログラムを提案する。
【課題を解決するための手段】
【０００６】
本開示によれば、ユーザの周囲にあるセンサの存在を認識させる通知情報に基づいて、ユーザの状態を取得する可能性のあるセンサに関する情報を取得する取得部を備える、情報処理装置が提供される。【０００７】
また、本開示によれば、ユーザの周囲にあるターゲット端末が備える１または複数のセンサの存在及びユーザの状態を取得する可能性を通知するポテンシャル情報を、ユーザに対して通知する通知部を備える、情報処理装置が提供される。【０００８】
さらに、本開示によれば、プロセッサにより、ユーザの周囲にあるセンサの存在を認識させる通知情報に基づいて、ユーザの状態を取得する可能性のあるセンサに関する情報を取得する、情報処理方法が提供される。【０００９】
また、本開示によれば、コンピュータを、ユーザの周囲にあるセンサの存在を認識させる通知情報に基づいて、ユーザの状態を取得する可能性のあるセンサに関する情報を取得する取得部を備える、情報処理装置として機能させるプログラムが提供される。
【発明の効果】
【００１０】
以上説明したように本開示によれば、自分の状態を周囲から取得される可能性のあるセンサがあることを認識することができる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示における一形態として、観測者の周囲に存在するターゲット端末が備えるセンサの機能状態を直接的に取得する状況を示す説明図である。
【図２】本開示の第１の実施形態に係る情報処理システムの概要を示す説明図である。
【図３】同実施形態に係る情報処理システムの機能構成を示す機能ブロック図である。
【図４】端末の物理的な動きによりカメラの動作状態を通知する例を示す説明図である。
【図５】同実施形態に係る情報取得処理を示すタイミングチャートである。
【図６】観測者端末におけるターゲット端末のセンサの動作設定情報の通知例を示す説明図である。
【図７】本開示の第２の実施形態に係る情報処理システムの概要を示す説明図である。
【図８】同実施形態に係る情報処理システムの機能構成を示す機能ブロック図である。
【図９】同実施形態に係る情報取得処理を示すタイミングチャートである。
【図１０】本開示の第３実施形態として、各ターゲット端末のセンサにより観測者の状態が取得される可能性を通知している状況を示す説明図である。
【図１１】同実施形態に係る情報処理システムの機能構成を示す機能ブロック図である。
【図１２】同実施形態に係る情報取得処理を示すタイミングチャートである。
【図１３】複数デバイスの連携による省電力処理の一例を説明する説明図である。
【図１４】複数デバイスの連携による省電力処理の他の一例を説明する説明図である。
【図１５】本開示の実施形態に係る情報処理装置のハードウェア構成例を示すブロック図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．概要
２．第１の実施形態（ターゲット端末からの情報取得）
２．１．概要
２．２．機能構成
（１）ターゲット端末
（２）観測者端末
２．３．ターゲット端末からの情報取得処理
３．第２の実施形態（サーバ経由での情報取得）
３．１．概要
３．２．機能構成
（１）ターゲット端末
（２）観測者端末
（３）サーバ
３．３．サーバ経由での情報取得処理
４．第３の実施形態（周囲の認識）
４．１．概要
４．２．機能構成
（１）端末
（２）観測者端末
（３）サーバ
４．３．周囲端末の認識処理
５．ユースケース
５．１．自分が計測していないことの周囲への宣言
５．２．情報処理端末の取得している内容の確認
５．３．周囲端末の取得している内容の確認
６．ハードウェア構成
７．補足
【００１４】
＜１．概要＞
まず、図１及び図１０を参照して、本開示における情報処理システムの概要を説明する。なお、図１は、本開示における一形態として、観測者Ｐｏの周囲に存在するターゲット端末が備えるセンサの機能状態を直接的に取得する状況を示す説明図である。図１０は、本開示における他の形態として、各ターゲット端末のセンサにより観測者Ｐｏの状態が取得される可能性を通知している状況を示す説明図である。
【００１５】
本実施形態に係る情報処理システムは、ユーザ（観測者Ｐｏ）に対して、ユーザの状態を取得する可能性のあるセンサに関する情報を提供するシステムである。ユーザの周囲にいる人が、例えばスマートフォンやウェアラブル端末、デジタルカメラ、レコーダー等の情報処理端末を使用していたり、使用可能な状態にしていたりすると、ユーザの意思に反してユーザの写真や音声を取得される可能性がある。あるいは、監視カメラ等のように環境設置型のセンサが機能している場合にも、当該センサによってユーザの状態が取得される可能性がある。そこで、情報処理システムは、ユーザに、自分の周囲に存在するセンサによって自分の状態が取得される可能性があることを認識できるようにする。
【００１６】
このような情報処理システムの構成として、以下の２つの形態が考えられる。１つは、ユーザ自身が周囲にある情報処理端末（あるいは情報処理端末を保持していそうな人や情報処理端末が設置されている位置）に気付き、その情報処理端末をターゲット端末として、ターゲット端末から当該端末のセンサの動作設定情報を取得するものである。例えば、図１に示すように、観測者Ｐｏの周囲に人物Ｐａ、Ｐｂ、Ｐｃが存在しており、観測者Ｐｏは、人物Ｐａの情報処理端末が備えるセンサの動作設定情報を、観測者端末を用いて取得する場合である。この形態では、観測者Ｐｏが注視している情報処理端末が備えるセンサに関する情報を詳細に取得することができる。
【００１７】
もう１つは、ユーザが特定の情報処理端末を注視してはいないが、ユーザの周囲にある情報処理端末によって自分の状態を取得される可能性をユーザに通知するものである。例えば、図１０に示すように、ユーザは、自分の周囲にある情報処理端末を積極的に認識するようにしなくとも、自分の状態を取得される可能性のある端末の存在が通知される。図１０では、音声の出力有無や音量によって、ユーザの状態を取得する可能性を通知している。これにより、ユーザは、自分の状態を取得する可能性があることを認識できる。
【００１８】
このように、本開示の情報処理システムでは、ユーザの状態を取得しているセンサだけでなく、センサは機能しているがユーザの状態は取得していないセンサや、センサは機能していないがその後機能してユーザの状態を取得可能なセンサも、ユーザの状態を取得する可能性のあるセンサとしてユーザに認識させる。以下、各形態について詳細に説明していく。
【００１９】
＜２．第１の実施形態＞
［２．１．概要］
まず、図２に基づいて、本開示の第１の実施形態に係る情報処理システムの概要を説明する。なお、図２は、本実施形態に係る情報処理システムの概要を示す説明図である。
【００２０】
本実施形態に係る情報処理システムは、上述の図１の形態に相当し、観測者Ｐｏが自分の周囲にある情報処理端末をターゲット端末１００Ａとして、ターゲット端末１００Ａが備える各種センサ１０１に関する情報（ここでは動作設定情報）を取得するものである。例えば図２に示すように、ターゲット端末１００Ａには、例えば、カメラやマイク等の各種センサ１０１が設けられている。ターゲット端末１００Ａは、これらのセンサ１０１のオンオフ状態や各種設定状態、外部機器との連携等の動作設定情報を取得可能に構成されている。
【００２１】
ターゲット端末１００Ａは、各種センサ１０１の動作設定情報を、通知部１０３を介して外部の端末によって取得可能にしている。例えば、通知部１０３は、通知情報として、各種センサ１０１の状態を直接取得可能にする情報を通知している。観測者Ｐｏは、観測者端末２００Ａ１の取得部を機能させて、ターゲット端末１００Ａが通知している通知情報を取得する。具体的には、通知情報として、対応するアプリケーションによってデコードすることで詳細情報が表示させる情報を用い、アイウェア端末やスマートフォン等の観測者端末２００Ａ１をかざして通知情報を取得するような場合である。
【００２２】
なお、情報処理端末２００Ａ１に対応するアプリケーションがインストールされていない場合や情報処理端末２００Ａ１を保持していない場合にも観測者Ｐｏがターゲット端末１００Ａのセンサ１０１の動作設定についてわかるように、ターゲット端末１００Ａにランプ等の簡易通知部を設けてもよい。
【００２３】
［２．２．機能構成］
図３に、本実施形態に係る情報処理システムの機能構成を示す。図３は、本実施形態に係る情報処理システムの機能構成を示す機能ブロック図である。本実施形態に係る情報処理システムは、図３に示すように、ターゲット端末１００Ａと観測者端末２００Ａとから構成される。ターゲット端末１００Ａは、観測者端末２００Ａによってセンサの動作設定状態が取得される対象の情報処置端末である。
【００２４】
（１）ターゲット端末
ターゲット端末１００Ａは、図３に示すように、センサ１１０と、動作設定情報取得部１２０と、センサ通知部１３０とからなる。センサ１１０は、ターゲット端末１００Ａに設けられている１または複数のセンサ（図２の各種センサ１０１に相当）であり、例えばカメラやマイク等である。
【００２５】
動作設定情報取得部１２０は、センサ１１０の設定状態や動作状態を取得する処理部である。動作設定情報取得部１２０は、各センサ１１０について、例えば以下のような動作設定情報を取得することが可能である。下記以外にも、例えば、地磁気センサのキャリブレーション実施状況等のようなセンサ固有の情報も取得してもよい。
・センサのオンオフ状態
・サンプリング周期
・ダイナミックレンジ／レゾリューション
・カットオフ周波数
【００２６】
このとき、動作設定情報取得部１２０は、現在機能しているセンサ１１０だけでなく、現在機能していない「オフにしている」センサ１１０についても、上記のような情報を取得する。これにより、例えばターゲット端末１００Ａにより観測者Ｐｏが撮影される可能性を判定する際に、「ターゲット端末１００Ａはカメラを備えているが機能していない」状態であるのか、「ターゲット端末１００Ａにはカメラ自体がない」のかを区別することができる。
【００２７】
なお、動作設定情報取得部１２０は、センサ１１０の動作設定情報の取得以外にも、例えば、ターゲット端末１００Ａにて実行できる通知情報の通知手段に関する情報を取得してもよい。通知手段に関する情報としては、例えば以下のような情報がある。なお、一時的な権限や親密度によって利用可能なパスがわかれば、これらも通知手段として応用可能である。
・電話のオンオフ状態
・ターゲット端末の近辺に、ターゲット端末から操作可能なスピーカがあるか
・ターゲット端末の近辺に、ターゲット端末から操作可能なディスプレイがあるか
・ベッドを揺らせるか
【００２８】
動作設定情報取得部１２０により取得されたセンサ１１０の動作設定情報は、センサ通知部１３０へ出力される。
【００２９】
センサ通知部１３０は、ターゲット端末１００Ａの外部からセンサ１１０の動作設定情報を取得させる通知情報を通知する通知部である。観測者端末２００Ａにてデコードが必要な通知情報を通知する例としては、以下のような場合がある。
・ランプの点灯／消灯による情報の付与（例えば、モールス信号やＡＭ変調等）
・定期的な電波の発信
・定期的な可視外光の発信
・サブディスプレイにバーコード等を表示
【００３０】
また、センサ通知部１３０は、デコードの必要な通知情報を通知する以外にも、端末に通知情報を取得、認識可能なアプリケーションがインストールされていなかったり、観測者Ｐｏが端末を保持していなかったりしても認識できる通知情報を通知してもよい。
【００３１】
例えば、センサ１１０の動作設定情報を文字やアイコン等にした通知情報をサブディスプレイに表示させてもよく、センサ１１０の動作設定情報に応じて音を定期的に発するようにしてもよい。また、図４に示すように、ターゲット端末１００Ａがカメラ１００Ａ１のとき、撮像部１４により観測者Ｐｏを撮影しているときには筐体１０のカバー１２を開き、撮像部１４により観測者Ｐｏを撮影していないときには筐体１０のカバー１２を閉じて、撮像部１４を隠すようにしてもよい。あるいは、撮像部１４により観測者Ｐｏを撮影していないときには、物理的にカメラの撮像方向を下に向けるようにしてもよい。このような通知情報を通知することで、ユーザは所定の端末を利用することなく、センサ１１０の動作設定情報を認識することが可能となる。
【００３２】
（２）観測者端末
次に、観測者端末２００Ａは、図３に示すように、通知情報取得部２１０と、通知処理部２２０と、通知部２３０とを備える。
【００３３】
通知情報取得部２１０は、ターゲット端末１００Ａが通知する通知情報を取得する取得部である。通知情報取得部２１０は、ターゲット端末１００Ａの通知情報がバーコード等のデコードが必要な情報である場合にリーダ部として機能する。通知情報取得部２１０は、取得した通知情報を通知処理部２２０へ出力する。
【００３４】
通知処理部２２０は、通知情報に基づいて、ターゲット端末１００Ａのセンサ１１０の動作設定情報を通知可能な情報とする処理を行う。通知処理部２２０は、例えば取得した通知情報をデコードし、ターゲット端末１００Ａが備える少なくとも１つのセンサ１１０に関する動作や設定に関する情報を取得する。取得した情報は、通知部２３０へ出力される。
【００３５】
通知部２３０は、ターゲット端末１００Ａが備える少なくとも１つのセンサ１１０の動作設定情報を、ユーザ（観測者Ｐｏ）へ通知する。通知部２３０は、例えば、ディスプレイやスピーカ、バイブレータ等の各種出力装置である。例えば、ディスプレイを介して動作設定情報をユーザに通知する場合、図２に示すような機能一覧により、ターゲット端末１００Ａが備える機能（センサ）とその稼働状態をまとめて通知してもよい。
【００３６】
［２．３．ターゲット端末からの情報取得処理］
以下、図５及び図６に基づいて、ターゲット端末１００Ａの情報取得処理について説明する。なお、図５は、本実施形態に係る情報取得処理を示すタイミングチャートである。図６は、観測者端末２００Ａにおけるターゲット端末１００Ａのセンサの動作設定情報の通知例を示す説明図である。
【００３７】
ターゲット端末１００Ａのセンサ１１０の動作設定情報は、図５に示すように、ターゲット端末１００Ａ内で所定のタイミングで取得されている（Ｓ１０１）。動作設定情報取得部１２０により動作設定情報を取得すると、センサ通知部１３０により通知情報として外部に通知される（Ｓ１０３）。ステップＳ１０１、Ｓ１０３の処理は繰り返し行われている。
【００３８】
一方で、観測者Ｐｏは、自分の近くに自分の状態を取得する可能性のありそうな情報処理端末があるとき、この情報処理端末をターゲット端末１００Ａとして、ターゲット端末１００Ａのセンサ１１０の動作設定情報を取得する。ここで、観測者Ｐｏは、目視でターゲット端末１００Ａを見つけてもよく、観測者Ｐｏの情報処理端末（観測者端末２００Ａ）等を用いて、ターゲット端末１００Ａとなり得る情報処理端末をサーチさせてもよい。
【００３９】
観測者端末２００Ａによる情報処理端末のサーチは、例えば、指定のアプリケーションを起動中に、観測者Ｐｏの視野角内で行うようにしてもよい。このとき、アプリケーションにより通知されるサーチ結果情報を、観測者端末２００Ａのディスプレイに表示させてもよい。サーチ結果情報には、検出された情報処理端末のうち少なくとも指定のセンサが起動している情報処理端末のみを表示させればよく、当該センサが起動していない情報処理端末も表示させてもよい。また、指定されたセンサの動作状態が起動から停止となった場合には、例えば音を出力したり該当するセンサに関する表示色を一時的に変更したりして強調表現し、動作状態の変化を強調して通知してもよい。
【００４０】
また、観測者Ｐｏの視野角外の情報については、例えば、サーバから取得可能な位置情報を利用して、観測者Ｐｏの所定の範囲内に指定のセンサが起動している情報処理端末があるかを通知することも可能である。ここで、観測者Ｐｏの視野角外にのみ指定のセンサが起動している情報処理端末が検出された場合には、観測者Ｐｏに対して周囲を探すことを促す通知を行ってもよい。
【００４１】
観測者端末２００Ａによる情報処理端末のサーチは、常時実施してもよく、省電施策として定期的にサーバから位置情報を取得してスクリーニングし、観測者Ｐｏの周囲に情報処理端末が検出された場合に観測者端末２００Ａのカメラを起動させてもよい。
【００４２】
さらに、観測者端末２００Ａは、観測者Ｐｏの指示に基づき、観測者端末２００Ａで既に機能している他のアプリケーションの処理より優先してサーチ処理を行うようにしてもよい。例えば、観測者Ｐｏが観測者端末２００Ａに対して「このあたりに監視カメラはないか？」との問いを入力した場合に、サーチ処理が他の処理に割り込み、実行される。例えば、観測者Ｐｏが着替え等のとられたくない行動をしていることが検知された場合、早急に周囲に観測者Ｐｏの状態を取得可能なセンサがないか確認する必要がある。このような場合には、当該割り込み処理は有効である。
【００４３】
このような観測者端末２００Ａによる情報処理端末のサーチ結果情報やユーザの発見等により、センサの動作設定情報を取得するターゲット端末１００Ａが決定されると、ユーザは、観測者端末２００Ａを用いて通知情報を取得する（Ｓ１１１）。例えば、観測者Ｐｏは、観測者端末２００Ａとしてアイウェア端末を装着している場合には、視線をターゲット端末１００Ａへ向けたり、あるいは、ターゲット端末１００Ａと通信可能な領域に位置することで、ターゲット端末１００から通知情報を取得することができる。
【００４４】
そして、観測者端末２００Ａは、ターゲット端末１００Ａから通知情報を取得すると、通知情報をデコードし、ターゲット端末１００Ａのセンサ１１０の動作設定情報を観測者Ｐｏに通知する（Ｓ１１３）。観測者端末２００Ａにおけるターゲット端末１００Ａのセンサ１１０の動作設定情報の通知例を図６に示す。図６に示すように、観測者端末２００Ａは、動作設定情報を、ターゲット端末１００Ａが備える機能（センサ）を文字列にて表示通知してもよく（Ｎ１）、音等を発することで通知してもよい（Ｎ２）。あるいは、観測者端末２００Ａは、動作設定情報を、擬人化表示して通知してもよく（Ｎ３）、アイコンにより通知してもよく（Ｎ４）、画面に画像を重畳してアニメーション表示により通知してもよい（Ｎ５）。なお、観測者端末２００Ａにおける通知情報の通知例は、これらに限定されるものではない。
【００４５】
また、観測者端末２００Ａは、センサの動作設定情報を通知することと合わせて、ターゲット端末１００Ａの場所及び状態をユーザに通知するようにしてもよい。これにより、例えば、複数の情報処理端末１００Ａが視野角内に存在する場合に、各情報処理端末１００Ａの識別情報や通知情報と合わせて表示部に表示させることで、観測者Ｐｏはこれらの情報処理端末１００Ａを一目で区別することが可能となる。あるいは、ユーザの視野角外に情報処理端末１００Ａが検出された場合には、例えば「１０：００の方向に反応有り」というような音声を出力したり、情報処理端末１００Ａの存在を表すアニメーションを視野角内の境界付近に表示させたりしてもよい。
【００４６】
以上、本開示の第１の実施形態に係る情報処理システムについて説明した。本実施形態によれば、自分の状態を周囲から取得される可能性のあるセンサがあることを認識することができる。
【００４７】
＜３．第２の実施形態＞
［３．１．概要］
次に、図７に基づいて、本開示の第２の実施形態に係る情報処理システムの概要を説明する。なお、図７は、本実施形態に係る情報処理システムの概要を示す説明図である。
【００４８】
本実施形態に係る情報処理システムも、上述の図１の形態に相当し、観測者Ｐｏが自分の周囲にある情報処理端末をターゲット端末１００Ｂとして、ターゲット端末１００Ｂが備える各種センサ１０１に関する情報（ここでは動作設定情報）を取得するものである。本実施形態に係る情報処理システムは、第１の実施形態と比較して、ターゲット端末１００Ｂのセンサ１０１の動作設定情報を管理するサーバ４００Ｂを介して、観測者端末２００Ｂ１はターゲット端末１００Ｂのセンサ１０１の動作設定情報を取得する点で相違する。
【００４９】
すなわち、ターゲット端末１００Ａは、各種センサ１０１の動作設定情報を、通信部１０５を介して所定のタイミングで外部のサーバ４００Ｂに送信している。一方、ターゲット端末１００Ｂは、図７に示すように、当該ターゲット端末１００Ｂを識別するための識別情報１０７を通知している。
【００５０】
観測者Ｐｏは、観測者端末２００Ｂ１の取得部を機能させて、ターゲット端末１００Ｂが通知している識別情報を取得する。そして、観測者端末２００Ｂ１は取得した識別情報をサーバ４００Ｂへ送信して、該当するターゲット端末１００Ｂの備えるセンサ１０１の動作設定情報の送信を要求する。サーバ４００Ｂは、観測者端末２００Ｂ１から受信下識別情報に基づいて、該当するターゲット端末１００Ｂの備えるセンサ１０１の動作設定情報を記憶部から取得して、観測者端末２００Ｂへ出力する。これにより、観測者端末２００Ｂ１は、ターゲット端末１００Ｂの備えるセンサ１０１の動作設定情報を確認することが可能となる。
［３．２．機能構成］
図８に、本実施形態に係る情報処理システムの機能構成を示す。図８は、本実施形態に係る情報処理システムの機能構成を示す機能ブロック図である。本実施形態に係る情報処理システムは、図８に示すように、ターゲット端末１００Ｂと観測者端末２００Ｂと、サーバ４００Ｂとから構成される。ターゲット端末１００Ｂは、観測者端末２００Ｂによってセンサの動作設定状態が取得される対象の情報処置端末である。なお、以下において、第１の実施形態と同一の構成及び機能の機能部については、詳細な説明を省略する。
【００５１】
（１）ターゲット端末
ターゲット端末１００Ｂは、図８に示すように、センサ１１０と、動作設定情報取得部１２０と、通信部１４０と、識別情報通知部１５０とからなる。センサ１１０及び動作設定情報取得部１２０は、図３と同一の構成及び機能を有する。ただし、動作設定情報取得部１２０による動作設定情報の出力は、通信部１４０に対して行われる。
【００５２】
通信部１４０は、ネットワーク５を介してターゲット端末１００Ｂとサーバ４００Ｂとの情報の送受信を行う処理部である。通信部１４０は、動作設定情報取得部１２０により取得されたセンサ１１０の動作設定情報を、ネットワーク５を介して接続されているサーバ４００Ｂへ送信する。
【００５３】
識別情報通知部１５０は、ターゲット端末１００Ｂを識別するための識別情報を通知する。ここで、識別情報としては、例えば二次元バーコードやターゲット端末１００Ｂ固有の音や信号等の識別子を用いてもよい。識別情報通知部１５０が通知する識別情報は、観測者端末２００Ｂの識別情報取得部２４０によって取得される。なお、識別情報は、上記の識別子以外にも、例えばターゲット端末１００Ｂを使用している人物の顔等、人物を特定可能な情報を用いてもよい。
【００５４】
（２）観測者端末
次に、観測者端末２００Ｂは、図８に示すように、通知処理部２２０と、通知部２３０と、識別情報取得部２４０と、通信部２５０とを備える。通知処理部２２０及び通知部２３０は、図３と同一の構成及び機能を有する。
【００５５】
識別情報取得部２４０は、ターゲット端末１００Ｂの識別情報通知部１５０から通知される識別情報を取得する。識別情報取得部２４０は、例えば二次元バーコードやターゲット端末１００Ｂに固有の識別音や識別信号等を取得して、ターゲット端末１００Ｂを特定するターゲット端末情報を取得する。ターゲット端末情報は、ターゲット端末１００Ｂが通知する識別情報と関連付けられた情報であり、二次元バーコードと識別音のように識別情報の種類が異なっても一意に取得される情報である。識別情報取得部２４０は、識別情報から取得したターゲット端末情報を通信部２５０へ出力する。
【００５６】
通信部２５０は、ネットワーク５を介して観測者端末２００Ｂとサーバ４００Ｂとの情報の送受信を行う処理部である。通信部２５０は、例えば、識別情報取得部２４０から取得されたターゲット端末情報をサーバ４００Ｂへ送信する。また、通信部２５０は、例えば、サーバ４００Ｂから受信したターゲット端末１００Ｂが備えるセンサ１１０の動作設定情報を、通知処理部２２０へ出力する。
【００５７】
（３）サーバ
サーバ４００Ｂは、ネットワーク５を介して接続されている情報処理端末１００のセンサ１１０の動作設定情報を管理する管理サーバである。サーバ４００Ｂは、図８に示すように、通信部４１０と、制御部４２０と、動作設定情報記憶部４３０とからなる。
【００５８】
通信部４１０は、ネットワーク５を介してターゲット端末１００Ｂや観測者端末２００Ｂ等の情報処理端末とサーバ４００Ｂとの情報の送受信を行う処理部である。通信部４１０は、例えば、ターゲット端末１００Ｂから送信されてきたセンサ１１０の動作設定情報を制御部４２０に出力する。また、通信部は、観測者端末２００Ｂの要求に応じて、制御部４２０に対して、指定されたターゲット端末１００Ｂのセンサの動作設定情報を取得させ、取得された動作設定情報を、観測者端末２００Ｂへ送信する。
【００５９】
制御部４２０は、サーバ４００Ｂの機能全般を制御する。制御部４２０は、ターゲット端末１００Ｂから送信されてきたセンサ１１０の動作設定情報を動作設定情報記憶部４３０に記録したり、指定されたターゲット端末情報に関連付けられたターゲット端末１００Ｂのセンサ１１０の動作設定情報を取得したりする。
【００６０】
動作設定情報記憶部４３０は、サーバ４００Ｂへ送信されてくる情報処理端末１００が備えるセンサ１１０の動作設定情報を記憶する記憶部である。動作設定情報記憶部４３０は、例えば情報処理端末１００毎に、センサ１１０の動作設定情報をターゲット端末情報と関連付けて記憶している。
【００６１】
［３．３．サーバ経由での情報取得処理］
以下、図９に基づいて、サーバ経由でのターゲット端末１００Ｂのセンサ１１０の動作設定情報取得処理について説明する。なお、図９は、本実施形態に係る情報取得処理を示すタイミングチャートである。
【００６２】
ターゲット端末１００Ｂのセンサ１１０の動作設定情報は、図９に示すように、ターゲット端末１００Ｂ内で所定のタイミングで取得されている（Ｓ２０１）。動作設定情報取得部１２０により動作設定情報を取得すると、通信部１４０によりサーバ４００Ｂへ送信される（Ｓ２０３）。サーバ４００Ｂは、ターゲット端末１００Ｂから動作設定情報を受信すると（Ｓ２２１）、制御部４２０により動作設定情報記憶部４３０に当該動作設定情報が記録される（Ｓ２２３）。なお、ステップＳ２０１、Ｓ２０３の処理は繰り返し行われており、ステップＳ２２１、Ｓ２２３の処理は、サーバ４００Ｂが動作設定情報を受信したタイミングで実行される。
【００６３】
一方で、観測者Ｐｏは、自分の近くに自分の状態を取得する可能性のありそうな情報処理端末があるとき、この情報処理端末をターゲット端末１００Ｂとして、ターゲット端末１００Ｂのセンサ１１０の動作設定情報を取得することを試みる。ここで、観測者Ｐｏは、目視でターゲット端末１００Ｂを見つけてもよく、観測者Ｐｏの情報処理端末（観測者端末２００Ｂ）等を用いて、ターゲット端末１００Ｂとなり得る情報処理端末をサーチさせてもよい。観測者端末２００Ｂによる情報処理端末のサーチは、第１の実施形態にて説明した各種方法を用いて行うことができる。
【００６４】
センサの動作設定情報を取得するターゲット端末１００Ｂが決定されると、ユーザは、観測者端末２００Ｂの識別情報取得部２４０を用いて、ターゲット端末１００Ｂから識別情報１０７を取得する（Ｓ２１１）。そして、観測者端末２００Ｂは、ターゲット端末１００Ｂから識別情報を取得すると、識別情報からターゲット端末固有の情報であるターゲット端末情報を取得し、通信部２５０を介してサーバ４００Ｂへ送信する（Ｓ２１３）。
【００６５】
サーバ４００Ｂは、観測者端末２００Ｂからターゲット端末情報を受信すると（Ｓ２２５）、制御部４２０により、ターゲット端末情報に関連付けられた動作設定情報が、動作設定情報記憶部４３０から取得される（Ｓ２２７）。サーバ４００Ｂは、取得した動作設定情報を、観測者端末２００Ｂへ送信する（Ｓ２２９）。観測者端末２００Ｂは、サーバ４００Ｂから動作設定情報を受信し（Ｓ２１５）、観測者Ｐｏに通知する。観測者Ｐｏへの通知は、第１の実施形態にて説明した各種通知方法で行ってもよい。
【００６６】
このように、本実施形態に係る情報処理システムにおいても、第１の実施形態と同様、自分の状態を周囲から取得される可能性のあるセンサがあることを認識することができる。以上、本開示の第２の実施形態に係る情報処理システムについて説明した。
【００６７】
＜４．第３の実施形態＞
［４．１．概要］
次に、図１０に基づいて、本開示の第３の実施形態に係る情報処理システムの概要を説明する。図１０に示す本実施形態に係る情報処理システムについては、上述したように、ユーザが特定の情報処理端末を注視してはいないが、ユーザの周囲にある情報処理端末によって自分の状態を取得される可能性をユーザに通知するものである。例えば、図１０に示すように、ユーザは、自分の周囲にある情報処理端末を積極的に認識するようにしなくとも、自分の状態を取得される可能性のある端末の存在がポテンシャル情報として通知される。
【００６８】
すなわち、観測者Ｐｏの周囲に人物Ｐａ、Ｐｂ、Ｐｃ、Ｐｄが存在するときに、観測者Ｐｏの状態を取得可能なセンサを備える情報処理端末を保持している場合には、例えば観測者Ｐｏが保持している観測者端末２００Ｃ１の表示部に、その存在を知らせる表示をポテンシャル情報として出力してもよい。また、各人物Ｐａ、Ｐｂ、Ｐｃ、Ｐｄが保持している情報処理端末の方向から、存在を観測者Ｐｏに通知する音がするように警告音を重畳させてもよい。このとき、観測者Ｐｏの状態を取得する可能性のあるセンサが起動していない場合には音量を小さくし、観測者Ｐｏの状態を取得する可能性のあるセンサが起動しており、かつそれを保持する人物が観測者Ｐｏの方を向いている場合には音量を大きくしてもよい。これにより、観測者Ｐｏは、自分の状態が取得される可能性の有無だけでなく、その可能性の高さも認識することが可能である。この通知する音の出力の要否や音量もポテンシャル情報の１つである。
【００６９】
［４．２．機能構成］
図１１に、本実施形態に係る情報処理システムの機能構成を示す。図１１は、本実施形態に係る情報処理システムの機能構成を示す機能ブロック図である。本実施形態に係る情報処理システムは、図１１に示すように、端末１００ＣＡ〜１００ＣＣと観測者端末２００Ｃと、サーバ４００Ｃとから構成される。端末１００ＣＡ〜１００ＣＣは、観測者端末２００Ｃの周囲にある周囲端末であり、センサの動作設定状態が取得されるターゲット端末となり得る情報処置端末である。なお、以下において、第１の実施形態または第２の実施形態と同一の構成及び機能の機能部については、詳細な説明を省略する。
【００７０】
（１）端末
端末１００ＣＡ〜１００ＣＣは、図１１に示すように、センサ１１０と、動作設定情報取得部１２０と、通信部１４０とからなる。センサ１１０、動作設定情報取得部１２０、及び通信部１４０は、図８と同一の構成及び機能を有する。なお、図１１には端末１００ＣＡ〜１００ＣＣは記載されていないが、識別情報通知部１５０を備えていてもよい。
【００７１】
（２）観測者端末
次に、観測者端末２００Ｃは、図１１に示すように、通知処理部２２０と、通知部２３０と、識別情報取得部２４０と、通信部２５０と、サーチ処理部２６０とを備える。通知処理部２２０、通知部２３０、識別情報取得部２４０及び通信部２５０は、図１１と同一の構成及び機能を有する。
【００７２】
サーチ処理部２６０は、観測者Ｐｏの周囲にある端末１００ＣＡ〜１００ＣＣを検出する処理部である。サーチ処理部２６０は、上記第１の実施形態で説明したような各種サーチ処理を実行し、観測者Ｐｏの周囲にある端末１００ＣＡ〜１００ＣＣを検出すると、通知処理部２２０に検出結果を出力し、通知部２３０を介してユーザに通知する。
【００７３】
（３）サーバ
サーバ４００Ｃは、ネットワーク５を介して接続されている情報処理端末１００のセンサ１１０の動作設定情報を管理する管理サーバである。サーバ４００Ｃは、図１１に示すように、通信部４１０と、制御部４２０と、動作設定情報記憶部４３０とからなる。サーバ４００Ｃは、図８と同一の構成及び機能を有する。
【００７４】
［４．３．周囲端末の認識処理］
以下、図１２に基づいて、観測者端末Ｐｏの周囲端末１００Ｃの認識処理とその端末のセンサ１１０の動作設定情報取得処理について説明する。なお、図１２は、本実施形態に係る情報取得処理を示すタイミングチャートである。
【００７５】
端末１００Ｃのセンサ１１０の動作設定情報は、図１２に示すように、端末１００Ｃ内で所定のタイミングで取得されている（Ｓ３０１）。動作設定情報取得部１２０により動作設定情報を取得すると、通信部１４０によりサーバ４００Ｃへ送信される（Ｓ３０３）。サーバ４００Ｃは、端末１００Ｃから動作設定情報を受信すると（Ｓ３１１）、制御部４２０により動作設定情報記憶部４３０に当該動作設定情報が記録される（Ｓ３１３）。なお、ステップＳ３０１、Ｓ３０３の処理は繰り返し行われており、ステップＳ３１１、Ｓ３１３の処理は、サーバ４００Ｃが動作設定情報を受信したタイミングで実行される。
【００７６】
一方で、観測者Ｐｏは、観測者端末２００Ｃを用いて、自分の近くに自分の状態を取得する可能性のありそうな情報処理端末があるか否かをサーチする（Ｓ３２１）。そして、観測者Ｐｏの所定の範囲内に自分の状態を取得する可能性のありそうな情報処理端末が検出されると、観測者Ｐｏは、センサの動作状況や設定情報を知りたい観測者端末２００Ｃからこの周囲端末１００Ｃの識別情報を取得し、当該端末１００Ｃの動作設定情報をサーバ４００Ｃに要求する（Ｓ３２３）。なお、端末１００Ｃの識別情報の取得処理は、上記第２の実施形態にて説明した、ステップＳ２１１と同様に行ってもよい。
【００７７】
サーバ４００Ｃは、観測者端末２００Ｃから識別情報を受信すると、制御部４２０により、識別情報に関連付けられた動作設定情報が、動作設定情報記憶部４３０から取得される（Ｓ３１５）。サーバ４００Ｃは、取得した動作設定情報を、観測者端末２００Ｃへ送信する（Ｓ３１７）。観測者端末２００Ｃは、サーバ４００Ｃから動作設定情報を受信し（Ｓ３２５）、観測者Ｐｏに通知する。観測者Ｐｏへの通知は、第１の実施形態にて説明した各種通知方法で行ってもよい。
【００７８】
以上、本開示の第３の実施形態に係る情報処理システムについて説明した。本実施形態に係る情報処理システムによれば、観測者Ｐｏは観測者端末２００Ｃを用いて自分の周囲をサーチすることで、自分の状態を取得する可能性のある端末１００Ｃの存在を認識することができる。そして、第１の実施形態や第２の実施形態と同様、各端末１００Ｃについて、自分の状態を周囲から取得される可能性のあるセンサの動作設定情報を認識することができる。
【００７９】
＜５．ユースケース＞
本実施形態に係る情報処理システムのユースケースとしては、以下のようなことが考えられる。
【００８０】
［５．１．自分が計測していないことの周囲への宣言］
例えば、上記情報処理システムにより、自分が情報処理端末を用いて他人の撮影や音声の取得等を行っていないことを周囲へ宣言することができる。これにより、盗撮等の疑いをかけられたりするのを回避できる。このためには、上記情報処理システムのように、情報処理端末が備える各センサについて、単に機能しているセンサを認識するだけでなく、センサを備えているが機能していないことや、センサ自体が存在しないこと等が認識されている必要がある。情報を全く発信していない人との区別ができないためである。
【００８１】
また、自分自身への適用として、ウェアラブル端末を複数装着しているユーザに対しては、デバイスの連携による忘れ物検出にも当該情報処理システムを利用できる。例えば、ユーザが家を出るとき等に体の各部位をアイウェア端末を介してみると、正しい装着位置に正しいモードでデバイスが存在するかを確認することができる。
【００８２】
［５．２．情報処理端末の取得している内容の確認］
また、情報処理端末が取得している内容を確認するために、上記情報処理システムを適用することもできる。例えば、自分が装着するデバイスに設けられたログ取得を行う各種センサの動作モードを確認するために利用できる。また、例えば、複数のデバイスが使用されている場合において、各デバイスの省電力化を実現することもできる。例えば、すべてのデバイスにカメラやマイクが搭載されている場合に、全デバイスで常時撮影や録音するのは無駄な場合がある。そこで、例えば図１３に示すように、手首に装着されたマイクと首に装着されたマイクとを交互に起動させて、各デバイスの省電力化を図るようにしてもよい。起動の切り替えは、例えば電池残量や計測位置等に応じてコントロールしてもよい。
【００８３】
一方で、複数のセンサを同時に起動させて常時計測し、ベストな検出結果を後で選んだり、複数の検出結果を合成する等といった用途もある。そこで、例えば、図１３に示すように、ユーザのある行動等が検出された場合に、手首のマイクと首のマイクとを同時に起動して、フルセンシング状態としてもよい。
【００８４】
［５．３．周囲端末の取得している内容の確認］
また、ユーザの周囲にある情報処理端末（周囲端末）の取得している内容を確認するために、上記情報処理システムを適用することもできる。このユースケースは、上述したユーザ自身が複数のデバイスを備えている場合を、ユーザ以外の人物が所有するデバイスも利用するようにしたものである。例えば、複数人での旅行しているときの音声録音に利用できる。参加者がそれぞれ保持するデバイスに、カメラやマイク、ＧＰＳ等の測位センサが搭載されている場合に、全デバイスで常時撮影や録音するのは無駄な場合がある。そこで、例えば図１４に示すように、ユーザＡのマイクとユーザＢのマイクとを交互に起動させて、各デバイスの省電力化を図るようにしてもよい。起動の切り替えは、例えば電池残量や視点位置等に応じてコントロールしてもよい。
【００８５】
一方で、複数のセンサを同時に起動させて常時計測し、ベストな検出結果を後で選んだり、複数の検出結果を合成する等といった用途もある。そこで、例えば、図１４に示すように、ユーザのある行動等が検出された場合に、ユーザＡのマイクとユーザＢのマイクとを同時に起動して、フルセンシング状態としてもよい。
【００８６】
＜６．ハードウェア構成＞
次に、図１５を参照して、本開示の実施形態に係る情報処理装置のハードウェア構成について説明する。図１５は、本開示の実施形態に係る情報処理装置のハードウェア構成例を示すブロック図である。図示された情報処理装置９００は、例えば、上記の実施形態における情報処理端末１００、２００やサーバ４００を実現しうる。
【００８７】
情報処理装置９００は、ＣＰＵ（Central  Processing  unit）９０１、ＲＯＭ（Read  Only  Memory）９０３、およびＲＡＭ（Random  Access  Memory）９０５を含む。また、情報処理装置９００は、ホストバス９０７、ブリッジ９０９、外部バス９１１、インターフェース９１３、入力装置９１５、出力装置９１７、ストレージ装置９１９、ドライブ９２１、接続ポート９２３、通信装置９２５を含んでもよい。さらに、情報処理装置９００は、必要に応じて、撮像装置９３３、およびセンサ９３５を含んでもよい。情報処理装置９００は、ＣＰＵ９０１に代えて、またはこれとともに、ＤＳＰ（Digital  Signal  Processor）、ＡＳＩＣ（Application  Specific  Integrated  Circuit）、またはＦＰＧＡ（Field-Programmable  Gate  Array）などの処理回路を有してもよい。
【００８８】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置９００内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一次記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Peripheral  Component  Interconnect/Interface）バスなどの外部バス９１１に接続されている。
【００８９】
入力装置９１５は、例えば、マウス、キーボード、タッチパネル、ボタン、スイッチおよびレバーなど、ユーザによって操作される装置である。入力装置９１５は、例えば、赤外線やその他の電波を利用したリモートコントロール装置であってもよいし、情報処理装置９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、情報処理装置９００に対して各種のデータを入力したり処理動作を指示したりする。
【００９０】
出力装置９１７は、取得した情報をユーザに対して視覚や聴覚、触覚などの感覚を用いて通知することが可能な装置で構成される。出力装置９１７は、例えば、ＬＣＤ（Liquid  Crystal  Display）または有機ＥＬ（Electro-Luminescence）ディスプレイなどの表示装置、スピーカまたはヘッドフォンなどの音声出力装置、もしくはバイブレータなどでありうる。出力装置９１７は、情報処理装置９００の処理により得られた結果を、テキストもしくは画像などの映像、音声もしくは音響などの音声、またはバイブレーションなどとして出力する。
【００９１】
ストレージ装置９１９は、情報処理装置９００の記憶部の一例として構成されたデータ格納用の装置である。ストレージ装置９１９は、例えば、ＨＤＤ（Hard  Disk  Drive）などの磁気記憶部デバイス、半導体記憶デバイス、光記憶デバイス、または光磁気記憶デバイスなどにより構成される。ストレージ装置９１９は、例えばＣＰＵ９０１が実行するプログラムや各種データ、および外部から取得した各種のデータなどを格納する。
【００９２】
ドライブ９２１は、磁気ディスク、光ディスク、光磁気ディスク、または半導体メモリなどのリムーバブル記録媒体９２７のためのリーダライタであり、情報処理装置９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【００９３】
接続ポート９２３は、機器を情報処理装置９００に接続するためのポートである。接続ポート９２３は、例えば、ＵＳＢ（Universal  Serial  Bus）ポート、ＩＥＥＥ１３９４ポート、ＳＣＳＩ（Small  Computer  System  Interface）ポートなどでありうる。また、接続ポート９２３は、ＲＳ−２３２Ｃポート、光オーディオ端子、ＨＤＭＩ（登録商標）（High-Definition  Multimedia  Interface）ポートなどであってもよい。接続ポート９２３に外部接続機器９２９を接続することで、情報処理装置９００と外部接続機器９２９との間で各種のデータが交換されうる。
【００９４】
通信装置９２５は、例えば、通信ネットワーク９３１に接続するための通信デバイスなどで構成された通信インターフェースである。通信装置９２５は、例えば、ＬＡＮ（Local  Area  Network）、Ｂｌｕｅｔｏｏｔｈ（登録商標）、Ｗｉ−Ｆｉ、またはＷＵＳＢ（Wireless  USB）用の通信カードなどでありうる。また、通信装置９２５は、光通信用のルータ、ＡＤＳＬ（Asymmetric  Digital  Subscriber  Line）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などを含みうる。
【００９５】
撮像装置９３３は、例えば、ＣＭＯＳ（Complementary  Metal  Oxide  Semiconductor）またはＣＣＤ（Charge  Coupled  Device）などの撮像素子、および撮像素子への被写体像の結像を制御するためのレンズなどの各種の部材を用いて実空間を撮像し、撮像画像を生成する装置である。撮像装置９３３は、静止画を撮像するものであってもよいし、また動画を撮像するものであってもよい。
【００９６】
センサ９３５は、例えば、加速度センサ、角速度センサ、地磁気センサ、照度センサ、温度センサ、気圧センサ、または音センサ（マイクロフォン）などの各種のセンサである。センサ９３５は、例えば情報処理装置９００の筐体の姿勢など、情報処理装置９００自体の状態に関する情報や、情報処理装置９００の周辺の明るさや騒音など、情報処理装置９００の周辺環境に関する情報を取得する。また、センサ９３５は、ＧＰＳ（Global  Positioning  System）信号を受信して装置の緯度、経度および高度を測定するＧＰＳ受信機等の測位センサを含んでもよい。
【００９７】
以上、情報処理装置９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【００９８】
＜７．補足＞
本開示の実施形態は、例えば、上記で説明したような情報処理装置（例えばサーバ）、システム、情報処理装置またはシステムで実行される情報処理方法、情報処理装置を機能させるためのプログラム、およびプログラムが記録された一時的でない有形の媒体を含みうる。
【００９９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１００】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０１】
なお、以下のような構成も本開示の技術的範囲に属する。
（１）
ユーザの周囲にあるセンサの存在を認識させる通知情報に基づいて、前記ユーザの状態を取得する可能性のあるセンサに関する情報を取得する取得部を備える、情報処理装置。
（２）
前記取得部は、前記ユーザが使用する観測者端末に設けられる、前記（１）に記載の情報処理装置。
（３）
前記通知情報は、ターゲット端末に表示された、当該ターゲット端末が備える１または複数のセンサの動作設定情報を取得させる情報であり、
前記取得部は、前記通知情報を前記ターゲット端末から直接取得して、前記ターゲット端末が備えるセンサの動作設定情報を取得する、前記（２）に記載の情報処理装置。
（４）
前記通知情報は、ターゲット端末に表示された、当該ターゲット端末を識別する識別情報であり、
前記取得部は、前記通知情報を前記ターゲット端末から直接取得し、取得した通知情報に基づいて、ターゲット端末が備える１または複数のセンサの動作設定情報を管理するサーバから前記ターゲット端末が備えるセンサの動作設定情報を取得する、前記（２）に記載の情報処理装置。
（５）
前記識別情報は、バーコードである、前記（４）に記載の情報処理装置。
（６）
ユーザの周囲にあるターゲット端末が備える１または複数のセンサの存在及びユーザの状態を取得する可能性を通知するポテンシャル情報であり、
前記ポテンシャル情報を受けたユーザの要求に応じて、前記取得部は、前記通知情報を前記ターゲット端末から直接取得して、前記ターゲット端末が備えるセンサの動作設定情報を取得する、前記（２）に記載の情報処理装置。
（７）
前記ユーザの状態を取得する可能性のあるセンサに関する情報は、少なくともセンサのオンオフ状態を含むセンサの動作設定情報である、前記（１）〜（６）のいずれか１項に記載の情報処理装置。
（８）
前記通知情報は、当該通知情報を受けた端末にてデコードされる情報である、前記（１）〜（７）のいずれか１項に記載の情報処理装置。
（９）
前記ユーザの状態を取得する可能性のあるセンサに関する情報は、文字列表示、音声通知、擬人化表示、アイコン表示、またはアニメーション表示のうち少なくともいずれか１つを用いてユーザに通知される、前記（１）〜（８）のいずれか１項に記載の情報処理装置。
（１０）
ユーザの周囲にあるターゲット端末が備える１または複数のセンサの存在及びユーザの状態を取得する可能性を通知するポテンシャル情報を、前記ユーザに対して通知する通知部を備える、情報処理装置。
（１１）
前記ポテンシャル情報を受けて、前記ユーザの状態を取得する可能性のあるセンサに関する情報を取得する取得部を備える、前記（１０）に記載の情報処理装置。
（１２）
プロセッサにより、ユーザの周囲にあるセンサの存在を認識させる通知情報に基づいて、前記ユーザの状態を取得する可能性のあるセンサに関する情報を取得する、情報処理方法。
（１３）
コンピュータを、ユーザの周囲にあるセンサの存在を認識させる通知情報に基づいて、前記ユーザの状態を取得する可能性のあるセンサに関する情報を取得する取得部を備える、情報処理装置として機能させるプログラム。
【符号の説明】
【０１０２】
１００Ａ、１００Ｂ                    ターゲット端末
１００Ｃ（１００ＣＡ〜１００ＣＣ）    周囲端末
１１０    センサ
１２０    動作設定情報取得部
１３０    センサ通知部
１４０    通信部
１５０    識別情報通知部
２００Ａ、２００Ｂ、２００Ｃ          観測者端末
２１０    通知情報取得部
２２０    通知処理部
２３０    通知部
２４０    識別情報取得部
２５０    通信部
２６０    サーチ処理部
４００Ｂ、４００Ｃ                    サーバ
４１０    通信部
４２０    制御部
４３０    動作設定情報記憶部
【図１】
2016199463.tif 000003
【図２】
2016199463.tif 000004
【図３】
2016199463.tif 000005
【図４】
2016199463.tif 000006
【図５】
2016199463.tif 000007
【図６】
2016199463.tif 000008
【図７】
2016199463.tif 000009
【図８】
2016199463.tif 000010
【図９】
2016199463.tif 000011
【図１０】
2016199463.tif 000012
【図１１】
2016199463.tif 000013
【図１２】
2016199463.tif 000014
【図１３】
2016199463.tif 000015
【図１４】
2016199463.tif 000016
【図１５】
2016199463.tif 000017
【国際調査報告】
2016199463.tif 000018
2016199463.tif 000019